(57)【特許請求の範囲】
【請求項１】
カラーフィルターが形成されたカラーフィルター基板と、
配線が形成され、前記カラーフィルター基板と対向するアレイ基板と、を備える液晶表示パネルであって、
前記アレイ基板は、
前記カラーフィルター基板の割断面と前記アレイ基板との交わり線を中心線として前記配線上に帯状に形成された凸部と、
前記交わり線を中心として前記配線の下に形成された凹部と、を備え、
前記配線の前記凸部と重なる領域の線幅が、その他の領域の線幅より太いことを特徴とする液晶表示パネル。
【請求項２】
カラーフィルターが形成されたカラーフィルター基板と、
配線が形成され、前記カラーフィルター基板と対向するアレイ基板と、を備える液晶表示パネルであって、
前記アレイ基板は、
カラーフィルター割断部にかかる前記配線の上にのみ形成され、前記配線の幅と略同一の幅を有する凸部と、
前記カラーフィルター基板の割断面と前記アレイ基板との交わり線を中心として前記配線の下に形成された凹部と、を備え、
前記配線の前記凸部と重なる領域の線幅が、その他の領域の線幅より太いことを特徴とする液晶表示パネル。
【発明の詳細な説明】
【０００１】
【発明の属する技術分野】
本発明は、液晶表示パネルに関し、より詳しくは、カラーフィルター基板の割断部下のアレイ基板上にバスライン、ゲート配線及びソース配線等の配線群が形成された液晶表示パネルの構造に関する。
【０００２】
【従来の技術】
従来の液晶表示パネルを、図面を用いて説明する。図３は、従来の液晶表示パネルを示す平面図及び部分拡大図であり、図４は、図３（Ｂ）の点線図の断面を示したである。
【０００３】
図４（Ａ）において、液晶表示パネルは、ガラス基板２と、カラーフィルターパターン形成部８（カラーフィルター、オーバーコート層及び透明電極で形成）からなるカラーフィルター基板と、ガラス基板１と、配線群、薄膜トランジスタ素子、透明電極、ＩＣ実装部等からなるパターン形成部５と、層間絶縁膜１０と、平坦化膜１４とを備えるアレイ基板の二枚の基板とで構成される。これら二枚の基板間に、所定の間隔を保てるようにスペーサー１１を挟み、画像表示部に液晶を密封できるようにシール材９を形成する。その後、スペーサー１１を介して接合し、シール材９を硬化させた後に、アレイ基板の実装部を覆っているカラーフィルター側ガラス基板２をスクライブにより割断する。
【０００４】
上記した従来の技術では、アレイ基板上の実装部にかかるカラーフィルター基板のガラス部分をスクライブにより割断する際、図４（Ｂ）のように、割断面下のアレイパターン上に割断されたガラス部分が接触し、配線群に圧力をかけることになる。その結果、配線群の損傷又は断線が生じる。
【０００５】
【発明が解決しようとする課題】
上記した従来の液晶表示パネルの構造においては、アレイ基板上の実装部にかかるカラーフィルター基板のガラス部分をスクライブにより割断する際、図４（Ｂ）のように割断面下のアレイパターン上に接触し、配線群に圧力をかけることになる。その結果、配線群の損傷又は断線の要因となり、歩留まりロスが生じる。
【０００６】
また、細い配線に対して凹部を形成すると、段差部の構成によって断線が発生し、この場合も歩留まりロスが生じる。
【０００７】
本発明の目的は、上記従来の課題を解決し、上記カラーフィルター基板のガラス部を割断する際、アレイ基板上の配線群に生じる圧力を軽減させ、かつ、カラーフィルター割断面での配線群の断線を防止し、歩留まりを向上させることにある。
【０００８】
【課題を解決するための手段】
上記課題を解決するために、本発明の液晶表示パネルは、図１および図２に示すように、カラーフィルター基板の割断部下のアレイ基板上に形成された配線の上に、割断面とアレイ基板表面との交わり線を中心線とする凸部を備え、また、形成した凸部の段差部にかかる配線の幅を太くした構造と、割断面を中心として形成された凸部と同一形状で配線の下に凹部を形成する構造とを有する。
【０００９】
【発明の実施の形態】
本発明の請求項１に記載の発明は、カラーフィルターが形成されたカラーフィルター基板と、バスライン、ゲート入力配線、およびソース入力配線が形成され、前記カラーフィルター基板と対向するアレイ基板と、を備える液晶表示パネルであって、前記カラーフィルター基板を割断する際の割断面と前記アレイ基板表面との交わり線を中心線とする凸部が、前記バスライン、ゲート配線、およびソース入力配線のいずれかの配線上に帯状に形成されたことを特徴とする液晶表示パネルである。
【００１０】
アレイ基板上の実装部にかかるカラーフィルター基板のガラス部分をスクライブにより割断する際のカラーフィルター割断面と、アレイ基板表面との交わり線を中心とする凸部をアレイ基板上の配線の上に、平坦化膜により設けることで、配線群にかかる圧力を軽減し、配線の損傷および断線を防止し、歩留まりを向上させる作用を有する。
【００１１】
本発明の請求項２に記載の発明は、カラーフィルター割断部にかかる各配線群の上にのみ、各配線の幅と略同一の幅を有する凸部が形成されたことを特徴とする請求項１記載の液晶表示パネルである。
【００１２】
アレイ基板上の実装部にかかるカラーフィルター基板のガラス部分をスクライブにより割断する際のカラーフィルター割断面と、アレイ基板表面との交わり線を中心とする凸部をアレイ基板上の配線の上に、平坦化膜により設けることで、配線群にかかる圧力を軽減し、配線の損傷及び断線を防止し、歩留まりを向上させる作用を有する。
【００１３】
本発明の請求項３に記載の発明は、バスライン、ゲート配線、およびソース入力配線のいずれかの配線の、少なくとも前記凸部と重なる領域の線幅が、その他の領域の線幅より太いことを特徴とする請求項１記載の液晶表示パネルである。
【００１４】
段差部の配線幅を太くすることで断線を防止し、歩留まりを向上させる作用を有する。
【００１５】
本発明の請求項４に記載の発明は、バスライン、ゲート配線、およびソース入力配線のいずれかの配線の、少なくとも前記凸部と重なる領域の線幅が、その他の領域の線幅より太いことを特徴とする請求項２記載の液晶表示パネルである。
【００１６】
段差部の配線幅を太くすることで断線を防止し、歩留まりを向上させる作用を有する。
【００１７】
本発明の請求項５に記載の発明は、その上に凸部が形成されたバスライン、ゲート配線、およびソース入力配線のいずれかの配線の下に、前記凸部の段差と略同一の段差を有する凹部が形成されたことを特徴とする請求項１または請求項３に記載の液晶表示パネルである。
【００１８】
アレイ基板上の実装部にかかるカラーフィルター基板のガラス部分をスクライブにより割断する際のカラーフィルター割断面とアレイ基板表面との交わり線を中心とする凹部をアレイ基板上の配線の下に設けることで割断部と配線のギャップを拡げ、さらに配線の上に平坦化膜の凸部を形成することで配線にかかる圧力を軽減し、配線の損傷及び断線を防止し、歩留まりを向上させる作用を有する。
【００１９】
本発明の請求項６に記載の発明は、その上に凸部が形成されたバスライン、ゲート配線、およびソース入力配線のいずれかの配線の下に、前記凸部の段差と略同一の段差を有する凹部が形成されたことを特徴とする請求項２または請求項４に記載の液晶表示パネルである。
【００２０】
アレイ基板上の実装部にかかるカラーフィルター基板のガラス部分をスクライブにより割断する際のカラーフィルター割断面とアレイ基板表面との交わり線を中心とする凹部をアレイ基板上の配線の下に設けることで割断部と配線のギャップを拡げ、さらに配線の上に平坦化膜の凸部を形成することで配線にかかる圧力を軽減し、配線の損傷及び断線を防止し、歩留まりを向上させる作用を有する。
【００２１】
（発明の実施の形態）
以下に本発明の実施の形態について、図面を参照しながら説明する。
【００２２】
図１は、本発明の実施の形態に係る液晶表示パネルを示す平面図及び部分拡大図であり、図２は、図１（Ｂ）の点線部の断面を示した図である。また図５は、本発明の液晶表示パネルのアレイ基板の製造工程を示す図である。
【００２３】
まず、アクティブマトリクス方式の液晶表示パネルを構成する一対の基板を用意する。一対の基板とは、カラーフィルター基板と、アレイ基板である。
【００２４】
カラーフィルター基板は、詳細には図示しないが、カラーフィルター側ガラス基板２と、その一面に形成されたカラーフィルターパターン形成部８（カラーフィルター、オーバーコート層、透明電極及び配向膜からなる）とを有する。アレイ基板は、詳細には図示しないが、アレイ側ガラス基板１と、薄膜トランジスタ素子、透明電極、配線群、実装部からなるアレイパターン形成部５と、層間絶縁膜１０と、平坦化膜１４とを有する。
【００２５】
図５に示す液晶表示パネルの製造過程の中の、ゲート電極とソース電極間のコンタクトをとる工程において、層間絶縁膜１０と半導体膜を除去する際に、割断部にかかる配線群のストレスを軽減させるための凹部１５を形成する（図５（Ｃ））。その後、ソース電極形成パターン１３を形成する（図５（Ｄ））。その際に、図１（Ｂ）に示すように、平行配線直線部を太らせたパターンを形成する。次に、層間絶縁膜１０を成膜し（図５（Ｅ））、その後、平坦化膜１４を形成する（図５（Ｆ））。この際、割断部にかかる配線のストレスを軽減させるための凸部６を形成する
こうしてできたアレイ基板１とカラーフィルター基板２とをシール材９によりスペーサー１１を介して貼り合わせる。次に、図２に示すように、アレイ基板の実装部を覆っているカラーフィルター基板を切断する。割断時に機械的なストレスが発生するが、凸部６及び凹部１５によりそのストレスを軽減し、配線の断線を防止する。
【００２６】
【発明の効果】
以上のように本発明は、アレイ基板上の実装部にかかるカラーフィルター基板のガラス部分をスクライブにより割断する際の割断面とアレイ基板表面との交わり線を中心とする凸部を設けることにより配線にかかる圧力を軽減し、配線の損傷及び断線を防止する。その結果、歩留まりを向上させることができる。
【図面の簡単な説明】
【図１】本発明の実施の形態の液晶表示パネルを示す平面図と部分拡大図
【図２】本発明の実施の形態の液晶表示パネルを示す部分断面図
【図３】従来の液晶表示パネルを示す平面図と部分拡大図
【図４】従来の液晶表示パネルを示す部分断面図
【図５】本発明の液晶表示パネルのアレイ基板の製造工程を説明する図
【符号の説明】
１  アレイ側ガラス基板
２  カラーフィルター側ガラス基板
３  有効画面エリア
４  ＩＣ
５  アレイパターン形成部
６  アレイ基板側凸部
７  カラーフィルター割断面とアレイ基板表面との交わり線
８  カラーフィルターパターン形成部
９  シール材
１０  層間絶縁膜
１１  スペーサー
１２  ゲート電極形成パターン
１３  ソース電極形成パターン
１４  平坦化膜
１５  アレイ基板側凹部
【図１】
0004011924.tif 000002
【図２】
0004011924.tif 000003
【図３】
0004011924.tif 000004
【図４】
0004011924.tif 000005
【図５】
0004011924.tif 000006